(57)【要約】  ハンドル（１２）、剃刀カートリッジ（１４）、及び電動トリマ（１６）を含むシェービング装置（１０）を提供する。ハンドルは、第１の端部（２０）、第２の端部（２２）、及びグリップ部分（１８）を含む。グリップ部分は、該グリップ部分に少なくとも部分的に含まれるモータ（２４）を有する。剃刀カートリッジはハンドルの第１の端部に装着される。電動トリマヘッドは、ハンドルの第２の端部に位置し、ユーザにより選択的に作動される。電動トリマは、作動時にはハンドル内のモータにより動力を受け、毛髪をトリミングすべく動作可能となる。【選択図】図３
2009525140.tif 000002
【特許請求の範囲】
【請求項１】
第１の端部、第２の端部、及びグリップ部分を有するハンドルと、
前記ハンドル内に少なくとも部分的に含まれるモータと、
前記ハンドルの前記第１の端部に装着された剃刀カートリッジと、
前記ハンドルの前記第２の端部に位置し、前記モータにより動力を受け、ユーザにより選択的に作動され、毛髪をトリミングすべく動作可能な電動トリマと、
を備えることを特徴とするシェービング装置。
【請求項２】
前記モータは、前記ハンドルの前記グリップ部分に少なくとも部分的に含まれる、
ことを特徴とする請求項１に記載のシェービング装置。
【請求項３】
前記モータは前記ハンドル内に位置する電池により給電される、
ことを特徴とする請求項１に記載のシェービング装置。
【請求項４】
前記電動トリマは第１のトリマ刃と第２のトリマ刃とを有し、前記モータにより動力を受けたとき、前記第１のトリマ刃は前記第２のトリマ刃に対して動作可能である、
ことを特徴とする請求項１に記載のシェービング装置。
【請求項５】
前記第１のトリマ刃は固定刃であり、前記第２のトリマ刃は可動刃である、
ことを特徴とする請求項４に記載のシェービング装置。
【請求項６】
前記電動トリマは前記ハンドルの前記第１の端部に位置し、それにより前記第１及び第２のトリマ刃が前記ハンドルの前記第１の端部から前記ハンドルの縦軸に沿って外側へ延びるようになる、
ことを特徴とする請求項４に記載のシェービング装置。
【請求項７】
前記電動トリマの前記トリマ刃を前記ハンドルの長さに沿って軸方向に可動にして、保管位置から展開位置へ動かすようにする、
ことを特徴とする請求項４に記載のシェービング装置。
【請求項８】
前記電動トリマを回転可能にして、保管位置と展開位置との間で動かすようにする、
ことを特徴とする請求項１に記載のシェービング装置。
【請求項９】
前記ハンドルの前記第２の端部に位置するくし状部をさらに備える、
ことを特徴とする請求項１に記載のシェービング装置。
【請求項１０】
前記くし状部及び電動トリマは、ユーザが毛髪を所定の長さにトリミングできるようにすべく動作可能である、
ことを特徴とする請求項９に記載のシェービング装置。
【請求項１１】
前記電動トリマを保護するために、前記ハンドルの前記第２の端部に配置されたキャップをさらに備える、
ことを特徴とする請求項１に記載のシェービング装置。
【請求項１２】
前記キャップは、開いた位置と閉じた位置との間で枢動する、
ことを特徴とする請求項１に記載のシェービング装置。
【請求項１３】
前記剃刀カートリッジは少なくとも１つの細長い刃、ガード、及びキャップを備える、
ことを特徴とする請求項１に記載のシェービング装置。
【請求項１４】
前記ハンドルは細長いハンドルである、
ことを特徴とする請求項１に記載のシェービング装置。
【請求項１５】
前記カートリッジは前記ハンドルの裏面より下に広がるシェービング面を定め、前記電動トリマは前記ハンドルの前記裏面の上方に位置する、
ことを特徴とする請求項１に記載のシェービング装置。
【請求項１６】
第１の端部、第２の端部、及び内部に少なくとも部分的に含まれたモータを有するグリップ部分を有するハンドルと、
前記ハンドルの前記第１の端部に装着された剃刀カートリッジと、
前記ハンドルの前記第２の端部に位置し、ユーザにより選択的に作動され、毛髪をトリミングすべく動作可能な電動トリマと、
を備え、前記電動トリマは、前記ハンドルの前記グリップ部分に少なくとも部分的に含まれる前記モータにより動力を受ける、
ことを特徴とするシェービング装置。
【発明の詳細な説明】
【技術分野】
【０００１】
〔関連出願との相互参照〕
本願は、２００６年２月２日に出願された「多目的シェービング手段」と題する米国仮出願特許第６０／７６４，９３２号の利益を主張するものであり、該特許は、引用により本明細書に組み入れられ、また本願は、２００５年７月７日に出願された「一体型湿式シェービング及びトリミング手段」と題する米国特許出願番号第１１／４８０，７２６号の一部継続出願であり、該特許もまた、引用により本明細書に組み入れられる。
【０００２】
本発明は、一般的にはシェービング手段に関し、特に、一体化された電動長髪トリマを有する湿式シェービング剃刀を使用するシェービング手段に関する。
【背景技術】
【０００３】
一般に、湿式シェービング剃刀としても知られている従来技術のシェービング手段のほとんどは、剃刀カートリッジとハンドルとを含むものである。剃刀カートリッジは、典型的には、ガードバーの後方かつキャップの前方に配置された少なくとも１枚の刃を含む。剃刀カートリッジは、使用中に静止位置と回転された位置との間でハンドルに対して回動できるようにハンドルに装着される。
【０００４】
上述の従来技術の刃は、表面の短い毛、又は無精ひげを表面から剃る場合にはきわめて実用的である。しかしながら、これらの刃は、（口ひげ、ヤギひげ、もみあげ、及び／又は体毛などの）長い毛を維持し、整え、及び／又はトリミングする場合にはそれほど実用的ではない。このような用途に対して特定の実用性を有する装置として、トリマのような、湿式シェービング剃刀以外の様々なタイプのシェービング装置が知られている。トリマは、通常は、互いに連動して動く２枚の隣接する刃を利用することにより動作する。１枚の刃が、モータにより前後に往復運動を行い、もう一方の刃が固定された状態を保持する。個々の刃は連なった歯状突起を有しており、モータのスイッチが入ると、それらの歯状突起が動作して、動く刃の歯状突起が固定された刃の歯状突起を通過するときに、ハサミと同じ方法で毛髪を切断する。
【０００５】
湿式シェービング剃刀とトリマとを組み合わせた装置がいくつか開示されている。通常、これらの装置に含まれるトリマはハンドルに恒久的に装着され、使用位置と非使用位置との間で動かすことが可能である。しかしながら、従来技術の装置の各々には固有の難点がある。例えば、 装置によっては、ハンドルの剃刀カートリッジと同じ側の端部に恒久的に位置決めされたトリマを有するものもある。これらの従来技術の装置では、トリマの余分な重みのためにハンドルがアンバランスになることが多い。さらに、従来技術の装置の多くは、一般に毛髪を所望の長さにトリミングすることに対する備えが行われていない。
【０００６】
【特許文献１】米国仮出願特許第６０／７６４，９３２号
【特許文献２】米国特許出願番号第１１／４８０，７２６号
【発明の開示】
【発明が解決しようとする課題】
【０００７】
従って、上記に基づいて、従来技術に関連する問題及び難点を解決するシェービング装置の提供が望まれている。
【課題を解決するための手段】
【０００８】
本発明の１つの側面によれば、シェービング装置が、ハンドル、剃刀カートリッジ、及び電動トリマを含む。ハンドルは、第１の端部、第２の端部、及びグリップ部分を含む。ハンドルは、該ハンドル内に少なくとも部分的に含まれるモータを有する。剃刀カートリッジはハンドルの第１の端部に装着される。電動トリマヘッドはハンドルの第２の端部に位置し、ユーザによって選択的に作動される。電動トリマは、作動時にはハンドル内のモータにより動力を受け、毛髪をトリミングすべく動作可能となる。
【０００９】
本発明のさらに別の側面によれば、トリマヘッドは、２枚の隣接する刃、すなわち１枚の可動刃と１枚の固定刃とを含む。いくつかの実施形態では、これらの刃の各々は一連の歯状突起を含み、この一連の歯状突起は、可動刃の歯状突起が固定刃の歯状突起に対して前後に往復運動するとき、毛髪を切断すべく動作可能となる。
【００１０】
いくつかの実施形態では、トリマを保管する第１の位置と、トリマが動作可能となる第２の位置との間でトリマヘッドを動かすことができる。これらの実施形態では、第１の位置と第２の位置との間でトリマを直線的にスライドさせることができる。或いは、第１の位置と第２の位置との間でトリマを回転させることができる。別の実施形態では、電動トリマはハンドルに対して固定される。
【００１１】
本発明のさらに別の側面によれば、このシェービング装置はくし状部をさらに含むことができる。このくし状部に含まれる一連の突起により、トリミング中に毛髪がその間を通過できるようになる。このくし状部が動作することにより、ユーザは、一定の予め設定した長さに毛髪をトリミングできるようになる。このくし状部をハンドルと一体にするか、或いはハンドルから取り外すことができる。
【００１２】
本発明のさらに別の側面によれば、このシェービング装置は保護キャップをさらに含むことができる。この保護キャップをハンドルと一体にするか、或いはハンドルから取り外すことができる。少なくとも上記の概要、添付図面、及び発明の詳細な説明に照らせば、当業者には本発明の利点が明らかになるであろう。
【発明を実施するための最良の形態】
【００１３】
図１〜図３を参照すると、本発明の１つの実施形態による、ハンドル１２、剃刀カートリッジ１４、及び電動トリマ１６を有するシェービング装置１０が示されている。ハンドル１２は、グリップ部分１８、第１の端部２０、及び第２の端部２２を含む。ハンドル１２のグリップ部分１８内に、電動モータ２４（図３を参照のこと）が少なくとも部分的に配置される。剃刀カートリッジ１４がハンドル１２の第１の端部２０に装着される。ハンドル１２内のモータ２４に動作可能に接続された電動トリマ１６が、ハンドル１２の第２の端部２２側に配置される。１つの観点では、ユーザが剃刀カートリッジ１４を使用して表面をシェービングするときは、本発明のシェービング装置１０を湿式シェービング剃刀として使用することができる。別の観点では、ハンドル１２の第２の端部２２側に位置する電動トリマ１６を作動させることにより、本発明のシェービング装置１０を毛髪をトリミングするために使用することができる。
【００１４】
ここで図１、図３及び図５を参照すると、ハンドル１２のグリップ部分１８は細長い形状をしており、さらにユーザが多くの好適な態様のうちの任意の１つで容易に取り扱いできるように人間工学に適って成形されていることが望ましい。十分にバランスのとれたシェービング装置１０を実現するために、ハンドル１２の第１の端部２０における剃刀カートリッジ１４、及びハンドル１２の反対側にある第２の端部２２における電動トリマ１６の正確な位置は、デザイナによって処理されることが望ましい。カートリッジ１４及び電動トリマ１６が、対応するハンドル端部又はその近くに存在する場合、それらはハンドル１２のそれぞれの第１の端部２０側と、第２の端部２２側とに配置される。
【００１５】
図３を参照すると、モータ２４が、ハンドル１２のグリップ部分１８の中に少なくとも部分的に配置されている。１つの実施形態では、ハンドル１２はまた、電気モータ２４に電力を供給するために使用する電池２８を収納する大きさの空間２６も含む。これらの実施形態では、空間２６は、電池２８を選択的に交換できるように、キャップ（図示せず）を有することができる。或いは、空間２６を閉鎖して、電池２８が切れた時点でハンドル１２を交換するようにしてもよい。しかしながら、本発明はＤＣ電池に限定されるものであると考えるべきではない。ＡＣ電力を供給する電気用の壁コンセントに差込むようになっている電源コード（図示せず）の使用などを通じた任意の好適な手段によって、本発明のモータ２４に電力を供給することができる。スイッチ３０により、モータ２４の電源を選択的に入れ、又は切ることができる。本発明では、（押しボタンスイッチ、トグルスイッチ、スライドスイッチなどの）公知のタイプのスイッチ３０のうちの任意の１つを利用することができる。
【００１６】
ハンドル１２はまた、ハンドル１２の第１の端部２０側に位置する第１のコネクタ３２を含むこともできる。１つの実施形態によれば、図１に示すように、この第１のコネクタ３２は、突起部を有する一対のアーム３４を含み、この突起部により、剃刀カートリッジ１４上に存在する補完的な第２のコネクタ３６と接続される（このことについては以下で説明する）。例示的な実施形態によれば、第２のコネクタ３６は一対のスロットを含むことができ、これらのスロットがアーム３４の突起部を受け入れて、シェルベアリング接続を形成する。しかしながら、第１のコネクタ３２及び第２のコネクタ３６はシェルベアリングタイプの接続に限定されるものであると考えるべきではなく、以下に限定されるわけではないが、一点結合による接続を含む、当業者にとって公知の任意の好適なタイプの接続であってもよい。
【００１７】
ここで図１及び図１Ａを参照すると、剃刀カートリッジ１４は、尖った刃先４０を有する少なくとも１枚の細長い刃３８を含む。図示の実施形態では、カートリッジ１４は、一般的にガード８０の後方かつキャップ８２の前方に位置する４枚の平行な細長い刃３８を有する。キャップ８２は潤滑ストリップを含むことができる。カートリッジ１４の刃３８、ガード８０、及びキャップ８２は、一般的にハンドル１２の裏面の下方に広がる最初のシェービング面を定める。
【００１８】
剃刀カートリッジ１４はまた第２のコネクタ３６も含み、このコネクタにより、ユーザは剃刀カートリッジ１４をハンドル１２に取り外し可能に装着できるようになる。１つの実施形態によれば、第２のコネクタ３６は第１のコネクタ３２と補完関係にあり（このことについては以下で説明する）、それにより剃刀カートリッジ１４は、接続時にハンドル１２に対して回動可能となるが、この第２のコネクタ３６はこのように限定されるものであると考えるべきではない。むしろ、第２のコネクタ３６は、当業者にとって公知の任意の好適なタイプのコネクタであってもよい。実施形態によっては、剃刀カートリッジ１４は、ハンドル１２に対して回動可能でないことが望ましい場合もある。別の実施形態では、剃刀カートリッジ１４は、ハンドル１２と取り外し不可能に装着されることが望ましい場合もある。
【００１９】
ここで図２、図２Ａ、図３、図４、図６、図８Ａ、図１０Ａ及び図１０Ｂを参照すると、電動トリマ１６は、１つの実施形態による１枚の固定トリマ刃４２と１枚の可動刃４４とを含む。この２枚の（２）トリマ刃４２及び４４は互いに隣接して配置され、可動刃が固定刃に対して前後に往復運動するとき、これら各々に含まれる尖った歯状突起４６が毛髪をトリミングすることができる。図に示す電動トリマ１６のトリマ刃４２及び４４は例示にすぎない。歯状突起４６の個数及び大きさは、例えば、ハンドル１２内に位置するモータ２４の動力を含む多くの要因に応じて変更することができる。使用中、電動トリマ１６の刃４２、４４の所望の方向に応じて、電動トリマ１６の刃をハンドル１２のグリップ部分１８に対して任意の角度に配向できることをさらに付記しておく。図３及び図６は、図示の特定のハンドル１２と共に使用するための例示的な角度にすぎない。別の実施形態によれば、トリマ刃４２及び４４は両方とも可動刃であってもよい。カートリッジ１４が、一般にハンドル１２の裏面の下方に広がるシェービング面を定めるのに対し、開示する実施形態によれば、トリマ１６はハンドル１２の第２の端部でトリマ刃４２〜４４を有し、ハンドル裏面の上方に存在する。
【００２０】
ここで図３、図８、図８Ａ、図９、図１０Ａ及び図１０Ｂを参照してわかるように、電動トリマ１６をハンドル１２に対して固定することができる。これらの実施形態では、電動トリマ１６は通常スイッチ３０により電源をオン及びオフされる。
【００２１】
或いは、ここで図１、図２、図２Ａ、図４、図５、図５Ａ、図５Ｂ、図５Ｃ、図６、及び図７を参照してわかるように、電動トリマ１６はハンドル１２に対して可動であってもよい。これらの実施形態では、電動トリマ１６が通常動作できない及び／又は保管される第１の位置４８と、電動トリマ１６が動作できる第２の位置５０との間で電動トリマ１６を動かすことができる。図１、図２、及び図２Ａに示す実施形態のようないくつかの実施形態では、電動トリマ１６をハンドル１２の縦軸に沿って直線的に動かすことができる。これらの実施形態では、電動トリマ１６は、第１の位置４８にある場合、通常ハンドル１２のグリップ部分１８の外側断面の実質的に内側に存在する。電動トリマ１６を第１の位置４８（図１及び図２）から第２の位置５０（図２Ａ）へ動かすと、電動トリマ１６はハンドル１２の第２の端部２２から外へ向かって移動し、毛髪をトリミングするための適切な位置に現れる。
【００２２】
図４〜図５Ｃに示す１つの実施形態のような別の実施形態では、電動トリマ１６はハンドル１０に対して回転する。図４及び図５に示すように、電動トリマ１６は第１の位置４８にあり、非使用中はこの位置に保管されている。図５Ａ及び５Ｂに示すように、電動トリマ１６は回転するにつれて第２の位置５０へ向けて動かされる。図５Ｃは、第２の位置５０における電動トリマ１６を示しており、この場合、電動トリマ１６は毛髪をトリミングするのに適正な位置にある。
【００２３】
図６及び図７に示す１つの実施形態のようなさらに別の実施形態では、電動トリマ１６は第１の位置４８に保管されるが、第１の位置４８と第２の位置５０との間の複数の位置のうちの任意の１つにおいて動作することができる。例えば、図７に示す実施形態には、くし状部５２（このことについては以下で説明する）が含まれる。ユーザがトリミングしたいと望む毛髪の長さに応じて、ユーザは、第１の位置４８と第２の位置５０との間の複数の位置のうちの任意の１つに電動トリマ１６を位置決めすることができる。
【００２４】
本発明のいくつかの実施形態では、及びここで図６、図７、及び図１０Ｂを参照してわかるように、シェービング装置１０はくし状部５２をさらに含むことができる。くし状部５２は、通常複数の突起５４を含む。突起５４は、それらの間に毛髪を通してトリミングできるように隔置されている。しかしながら、この突起５４もまた、電動トリマ１６の歯状突起４６と肌表面との間に隙間を作ることにより、毛髪を所定の長さにトリミングすべく動作することができる。図６及び図７に示すように、くし状部５２をハンドル１２の第２の端部２２と一体にすることができる。これらの実施形態では、くし状部５２は、通常第１の部分５８と第２の部分６０とを含む。これらの実施形態では、電動トリマ１６は、通常くし状部５２の第１の部分５８と第２の部分６０との間に滑動可能に配置されて、電動トリマ１６とユーザとの両方に対して付加的な保護機能を提供する。
【００２５】
図１０Ｂに示す実施形態のような別の実施形態では、くし状部５２をハンドル１２に取り外し可能に装着することができる。これらの実施形態では、ユーザは、毛髪を所望の長さにトリミングする前に、所望の突起５４を有するくし状部５２を電動トリマ１６に選択的に装着することができる。或いは、ユーザは、電動トリマ１６を肌表面に直接接触させたいと望む場合、くし状部５２を完全に取り外すことができる。くし状部５２をシェービング装置１０に取り外し可能に接続する際に、当業で公知の任意の適当なコネクタ（図示せず）を利用することができる。
【００２６】
加えて、及びここで図８、図８Ａ、図９、及び図１０Ａを参照してわかるように、シェービング装置１０はキャップ６２をさらに含むことができる。通常、キャップ６２は、電動トリマ１６を使用していない時にこの電動トリマ１６を損傷から保護することが意図されている。キャップ６２は取り外し可能であってもよい。或いは、電動トリマ１６の使用時にキャップの紛失を防ぐ目的で、図８及び図８Ａに示すように、キャップ６２をハンドル１２に枢動可能に接続してもよい。
【００２７】
さらなる実施形態によれば、シェービング装置１０は、カートリッジ１４及び電動トリマ１６に加え、追加のトリム刃をさらに含むことができる。このトリム刃をカートリッジ後面に設け、一般に下向きに配向し、本来のシェービング刃から離して毛髪をトリミングできるようにしてもよい。カートリッジにトリム刃を追加する１例が、Ｒｏｚｅｎｋｒａｎｃに付与された米国特許第６、２７６、０６１号に開示されている。
【００２８】
以下の特許請求の範囲により定められる本発明の主題及び精神から逸脱することなく、開示した実施形態に修正及び変更を行うことができる。
【図面の簡単な説明】
【００２９】
【図１】本発明の１つの実施形態による、剃刀カートリッジと電動トリマヘッドとを含むシェービング装置の等角図である。
【図１Ａ】図１に示す剃刀カートリッジの拡大した正面図である。
【図２】図１に示すハンドルの第２の端部の、トリマヘッドが第１の位置にある場合を示す部分的平面図である。
【図２Ａ】図１に示すハンドルの第２の端部の、トリマヘッドが第２の位置にある場合を示す部分的平面図である。
【図３】本発明の１つの実施形態によるシェービング装置の内部機能を表現した概略的な側面断面図である。
【図４】本発明の別の実施形態による、剃刀カートリッジと電動トリマヘッドとを含むシェービング装置の等角図である。
【図５】図４に示すハンドルの第２の端部の、トリマヘッドが第１の位置にある場合を示す部分的平面図である。
【図５Ａ】図４に示すハンドルの第２の端部の、トリマヘッドが第１の位置と第２の位置との間でわずかに回転した位置にある場合を示す部分的平面図である。
【図５Ｂ】図４に示すハンドルの第２の端部の、トリマヘッドが第１の位置と第２の位置との間でさらに回転した位置にある場合を示す部分的平面図である。
【図５Ｃ】図４に示すハンドルの第２の端部の、トリマヘッドが第２の位置にある場合を示す部分的平面図である。
【図６】本発明の別の実施形態によるシェービング装置の、ハンドルの第２の端部が一体型のくし状部を含み、トリマが第１の位置にある場合を示す部分的等角図である。
【図７】図６に示すシェービング装置の、トリマが第２の位置にある場合を示す部分的等角図である。
【図８】本発明の別の実施形態による、保管位置まで回転する回転可能なキャップを含むシェービング装置の部分的側面図である。
【図８Ａ】図８に示すシェービング装置の、回転可能なキャップが開放位置まで回転した状態を示す部分的側面図である。
【図９】本発明の実施形態による、取り外し可能なキャップを含むシェービング装置の部分的等角図である。
【図１０Ａ】図９のシェービング装置の、取り外し可能なキャップをハンドルの第２の端部から取り外した場合を示す部分的に分解した等角図である。
【図１０Ｂ】図９及び図９Ａに示すシェービング装置の、ハンドルの第２の端部に装着できる取り外し可能なくし状部を含む場合を示す部分的に分解した等角図である。
【符号の説明】
【００３０】
１２  ハンドル
１４  剃刀カートリッジ
１６  電動トリマ
１８  グリップ部分
２２  第２の端部
２４  モータ
２６  空間
２８  電池
４２  固定トリマ刃
【図１】
2009525140.tif 000003
【図１Ａ】
2009525140.tif 000004
【図２】
2009525140.tif 000005
【図２Ａ】
2009525140.tif 000006
【図３】
2009525140.tif 000007
【図４】
2009525140.tif 000008
【図５】
2009525140.tif 000009
【図５Ａ】
2009525140.tif 000010
【図５Ｂ】
2009525140.tif 000011
【図５Ｃ】
2009525140.tif 000012
【図６】
2009525140.tif 000013
【図７】
2009525140.tif 000014
【図８】
2009525140.tif 000015
【図８Ａ】
2009525140.tif 000016
【図９】
2009525140.tif 000017
【図１０Ａ】
2009525140.tif 000018
【図１０Ｂ】
2009525140.tif 000019
【国際調査報告】
2009525140.tif 000020
2009525140.tif 000021
2009525140.tif 000022